(57)【特許請求の範囲】
【請求項１】
データを記録するためのデータ記録領域と、第１ドライブ情報を記録するための第１ドライブ情報領域と、第２ドライブ情報を記録するための第２ドライブ情報領域とを備えた情報記録媒体のための情報記録再生方法であって、
前記第１ドライブ情報領域および前記第２ドライブ情報領域のそれぞれは、番号０〜番号１５が割り当てられた領域を有しており、
前記第１ドライブ情報および前記第２ドライブ情報のそれぞれは、１６個の記録再生条件を含み、
前記１６個の記録再生条件は、前記情報記録媒体に記録された時刻が新しいものから古いものへの順番に前記第１ドライブ情報領域および前記第２ドライブ情報領域のそれぞれの番号０〜番号１５が割り当てられた領域に書き込まれており、前記利用可能な記録再生条件は、前記第１ドライブ情報領域の番号ｍが割り当てられた領域に書き込まれており、
前記情報記録再生方法は、
（ａ）前記第１ドライブ情報領域から前記第１ドライブ情報を読み出すことが可能であるか否かを判定するステップと、
（ｂ）前記第１ドライブ情報に含まれる複数の記録再生条件の中に、前記情報記録媒体を装着した情報記録再生装置が利用可能な記録再生条件があるか否かを判定するステップと、
（ｄ）前記第１ドライブ情報を読み出すことが可能であり、かつ、前記第１ドライブ情報の中に前記利用可能な記録再生条件がある場合には、前記利用可能な記録再生条件および前記第１ドライブ情報を利用して、前記第１ドライブ情報および前記第２ドライブ情報を更新するステップと
を包含し、
前記ステップ（ｄ）は、
（ｄ−１）前記第１ドライブ情報領域の番号ｍが割り当てられた領域から前記利用可能な記録再生条件を読み出すステップと、
（ｄ−２）前記第１ドライブ情報領域の番号０〜番号（ｍ−１）が割り当てられた領域に書き込まれている記録再生条件の内容を前記第１ドライブ情報領域および前記第２ドライブ情報領域のそれぞれの番号１〜番号ｍが割り当てられた領域に書き込むステップと、
（ｄ−３）前記読み出された利用可能な記録再生条件の内容を前記第１ドライブ情報領域および第２ドライブ情報領域のそれぞれの番号０が割り当てられた領域に書き込むステップと
を包含する、情報記録再生方法。
【請求項２】
データを記録するためのデータ記録領域と、第１ドライブ情報を記録するための第１ドライブ情報領域と、第２ドライブ情報を記録するための第２ドライブ情報領域とを備えた情報記録媒体のための情報記録再生方法であって、
前記第１ドライブ情報領域および前記第２ドライブ情報領域のそれぞれは、番号０〜番号１５が割り当てられた領域を有しており、
前記第１ドライブ情報および前記第２ドライブ情報のそれぞれは、１６個の記録再生条件を含み、
前記１６個の記録再生条件は、前記情報記録媒体に記録された時刻が新しいものから古いものへの順番に前記第１ドライブ情報領域および前記第２ドライブ情報領域のそれぞれの番号０〜番号１５が割り当てられた領域に書き込まれており、前記利用可能な記録再生条件は、前記第２ドライブ情報領域の番号ｍが割り当てられた領域に書き込まれており、
前記情報記録再生方法は、
（ａ）前記第１ドライブ情報領域から前記第１ドライブ情報を読み出すことが可能であるか否かを判定するステップと、
（ｅ）前記第２ドライブ情報領域から前記第２ドライブ情報を読み出すことが可能であるか否かを判定するステップと、
（ｆ）前記第２ドライブ情報に含まれる複数の記録再生条件の中に、前記情報記録媒体を装着した情報記録再生装置が利用可能な記録再生条件があるか否かを判定するステップと、
（ｈ）前記第１ドライブ情報を読み出すことが不可能であり、かつ、前記第２ドライブ情報を読み出すことが可能であり、かつ、前記第２ドライブ情報の中に前記利用可能な記録再生条件がある場合には、前記利用可能な記録再生条件および前記第２ドライブ情報を利用して、前記第１ドライブ情報および前記第２ドライブ情報を更新するステップと
を包含し、
前記ステップ（ｈ）は、
（ｈ−１）前記第２ドライブ情報領域の番号ｍが割り当てられた領域から前記利用可能な記録再生条件を読み出すステップと、
（ｈ−２）前記第２ドライブ情報領域の番号０〜番号（ｍ−１）が割り当てられた領域に書き込まれている記録再生条件の内容を前記第１ドライブ情報領域および前記第２ドライブ情報領域のそれぞれの番号１〜番号ｍが割り当てられた領域に書き込むステップと、
（ｈ−３）前記読み出された利用可能な記録再生条件の内容を前記第１ドライブ情報領域および第２ドライブ情報領域のそれぞれの番号０が割り当てられた領域に書き込むステップと
を包含する、情報記録再生方法。
【請求項３】
データを記録するためのデータ記録領域と、第１ドライブ情報を記録するための第１ドライブ情報領域と、第２ドライブ情報を記録するための第２ドライブ情報領域とを備えた情報記録媒体のための情報記録再生装置であって、
前記第１ドライブ情報領域および前記第２ドライブ情報領域のそれぞれは、番号０〜番号１５が割り当てられた領域を有しており、
前記第１ドライブ情報および前記第２ドライブ情報のそれぞれは、１６個の記録再生条件を含み、
前記１６個の記録再生条件は、前記情報記録媒体に記録された時刻が新しいものから古いものへの順番に前記第１ドライブ情報領域および前記第２ドライブ情報領域のそれぞれの番号０〜番号１５が割り当てられた領域に書き込まれており、前記利用可能な記録再生条件は、前記第１ドライブ情報領域の番号ｍが割り当てられた領域に書き込まれており、
前記情報記録再生装置は、
ドライブ情報読み出し部と、学習処理部と、ドライブ情報更新部と
を備え、
前記ドライブ情報読み出し部は、前記第１ドライブ情報領域から前記第１ドライブ情報を読み出すことが可能であるか否かを判定し、
前記学習処理部は、前記第１ドライブ情報に含まれる複数の記録再生条件の中に、前記情報記録再生装置が利用可能な記録再生条件があるか否かを判定し、
前記ドライブ情報更新部は、前記第１ドライブ情報を読み出すことが可能であり、かつ、前記第１ドライブ情報の中に前記利用可能な記録再生条件がある場合には、前記利用可能な記録再生条件および前記第１ドライブ情報を利用して、前記第１ドライブ情報および前記第２ドライブ情報を更新し、
前記第１ドライブ情報領域の番号ｍが割り当てられた領域から前記利用可能な記録再生条件を読み出し、
前記第１ドライブ情報領域の番号０〜番号（ｍ−１）が割り当てられた領域に書き込まれている記録再生条件の内容を前記第１ドライブ情報領域および前記第２ドライブ情報領域のそれぞれの番号１〜番号ｍが割り当てられた領域に書き込み、
前記読み出された利用可能な記録再生条件の内容を前記第１ドライブ情報領域および第２ドライブ情報領域のそれぞれの番号０が割り当てられた領域に書き込む、
情報記録再生装置。
【請求項４】
データを記録するためのデータ記録値域と、第１ドライブ情報を記録するための第１ドライブ情報領域と、第２ドライブ情報を記録するための第２ドライブ情報値域とを備えた情報記録媒体のための情報記録再生装置であって、
前記第１ドライブ情報領域および前記第２ドライブ情報領域のそれぞれは、番号０〜番号１５が割り当てられた領域を有しており、
前記第１ドライブ情報および前記第２ドライブ情報のそれぞれは、１６個の記録再生条件を含み、
前記１６個の記録再生条件は、前記情報記録媒体に記録された時刻が新しいものから古いものへの順番に前記第１ドライブ情報領域および前記第２ドライブ情報領域のそれぞれの番号０〜番号１５が割り当てられた領域に書き込まれており、前記利用可能な記録再生条件は、前記第２ドライブ情報領域の番号ｍが割り当てられた領域に書き込まれており、
前記情報記録再生装置は、
ドライブ情報読み出し部と、学習処理部と、ドライブ情報更新部と
を備え、
前記ドライブ情報読み出し部は、前記第１ドライブ情報領域から前記第１ドライブ情報を読み出すことが可能であるか否かを判定し、
前記ドライブ情報読み出し部は、前記第２ドライブ情報嶺域から前記第２ドライブ情報を読み出すことが可能であるか否かを判定し、
前記学習処理部は、前記第２ドライブ情報に含まれる複数の記録再生条件の中に、前記情報記録再生装置が利用可能な記録再生条件があるか否かを判定し、
前記ドライブ情報更新部は、前記第１ドライブ情報を読み出すことが不可能であり、かつ、前記第２ドライブ情報を読み出すことが可能であり、かつ、前記第２ドライブ情報の中に前記利用可能な記録再生条件がある場合には、前記利用可能な記録再生条件および前記第２ドライブ情報を利用して、前記第１ドライブ情報および前記第２ドライブ情報を更新し、
前記第２ドライブ情報領域の番号ｍが割り当てられた領域から前記利用可能な記録再生条件を読み出し、
前記第２ドライブ情報領域の番号０〜番号（ｍ−１）が割り当てられた領域に書き込まれている記録再生条件の内容を前記第１ドライブ情報領域および前記第２ドライブ情報領域のそれぞれの番号１〜番号ｍが割り当てられた領域に書き込み、
前記読み出された利用可能な記録再生条件の内容を前記第１ドライブ情報領域および第２ドライブ情報領域のそれぞれの番号０が割り当てられた領域に書き込む、
情報記録再生装置。
【発明の詳細な説明】
【０００１】
【発明の属する技術分野】
本発明は、複数の記録再生条件を含むドライブ情報を記録するためのドライブ情報領域を備えた情報記録媒体およびその情報記録媒体のための情報記録再生方法および情報記録再生装置に関する。
【０００２】
【従来の技術】
セクタ構造を有する情報記録媒体として光ディスクが知られている。近年、光ディスクの高密度化、大容量化が進んでおり、光ディスクの信頼性を確保することが重要になっている。この信頼性を確保するため、光ディスク装置は、記録再生条件を求める学習処理を行っている。
【０００３】
【発明が解決しようとする課題】
記録再生条件は、光ディスクの特性および光ディスク装置の特性に大きく依存する。このため、記録再生条件を求める学習処理は、光ディスク装置に光ディスクを装着した後、光ディスク装置を起動する度に、あるいは、温度変化などの要因により光ディスクの特性または光ディスク装置の特性が変化する度に、繰り返し行われる必要がある。
【０００４】
最近では、光ディスクの更なる高密度化、大容量化が進み、より精密な記録再生条件を求める必要性が生じている。しかし、より精密な記録再生条件を求めるには、学習処理に長い時間を要する。その結果、光ディスク装置の待機時間が長くなるという問題点があった。
【０００５】
本発明は、上記問題点に鑑みてなされたものであり、記録再生条件を求める学習処理に要する時間を短縮することが可能な情報記録媒体、情報記録再生方法および情報記録再生装置を提供することを目的とする。
【００１７】
【課題を解決するための手段】
本発明の情報記録再生方法は、データを記録するためのデータ記録領域と、第１ドライブ情報を記録するための第１ドライブ情報領域と、第２ドライブ情報を記録するための第２ドライブ情報領域とを備えた情報記録媒体のための情報記録再生方法であって、前記第１ドライブ情報領域および前記第２ドライブ情報領域のそれぞれは、番号０〜番号１５が割り当てられた領域を有しており、前記第１ドライブ情報および前記第２ドライブ情報のそれぞれは、１６個の記録再生条件を含み、前記１６個の記録再生条件は、前記情報記録媒体に記録された時刻が新しいものから古いものへの順番に前記第１ドライブ情報領域および前記第２ドライブ情報領域のそれぞれの番号０〜番号１５が割り当てられた領域に書き込まれており、前記利用可能な記録再生条件は、前記第１ドライブ情報領域の番号ｍが割り当てられた領域に書き込まれており、前記情報記録再生方法は、（ａ）前記第１ドライブ情報領域から前記第１ドライブ情報を読み出すことが可能であるか否かを判定するステップと、（ｂ）前記第１ドライブ情報に含まれる複数の記録再生条件の中に、前記情報記録媒体を装着した情報記録再生装置が利用可能な記録再生条件があるか否かを判定するステップと、（ｄ）前記第１ドライブ情報を読み出すことが可能であり、かつ、前記第１ドライブ情報の中に前記利用可能な記録再生条件がある場合には、前記利用可能な記録再生条件および前記第１ドライブ情報を利用して、前記第１ドライブ情報および前記第２ドライブ情報を更新するステップとを包含し、前記ステップ（ｄ）は、（ｄ−１）前記第１ドライブ情報領域の番号ｍが割り当てられた領域から前記利用可能な記録再生条件を読み出すステップと、（ｄ−２）前記第１ドライブ情報領域の番号０〜番号（ｍ−１）が割り当てられた領域に書き込まれている記録再生条件の内容を前記第１ドライブ情報領域および前記第２ドライブ情報領域のそれぞれの番号１〜番号ｍが割り当てられた領域に書き込むステップと、（ｄ−３）前記読み出された利用可能な記録再生条件の内容を前記第１ドライブ情報領域および第２ドライブ情報領域のそれぞれの番号０が割り当てられた領域に書き込むステップとを包含し、これにより、上記目的が達成される。
【００２５】
本発明の情報記録再生方法は、データを記録するためのデータ記録領域と、第１ドライブ情報を記録するための第１ドライブ情報領域と、第２ドライブ情報を記録するための第２ドライブ情報領域とを備えた情報記録媒体のための情報記録再生方法であって、前記第１ドライブ情報領域および前記第２ドライブ情報領域のそれぞれは、番号０〜番号１５が割り当てられた領域を有しており、前記第１ドライブ情報および前記第２ドライブ情報のそれぞれは、１６個の記録再生条件を含み、前記１６個の記録再生条件は、前記情報記録媒体に記録された時刻が新しいものから古いものへの順番に前記第１ドライブ情報領域および前記第２ドライブ情報領域のそれぞれの番号０〜番号１５が割り当てられた領域に書き込まれており、前記利用可能な記録再生条件は、前記第２ドライブ情報領域の番号ｍが割り当てられた領域に書き込まれており、前記情報記録再生方法は、（ａ）前記第１ドライブ情報領域から前記第１ドライブ情報を読み出すことが可能であるか否かを判定するステップと、（ｅ）前記第２ドライブ情報領域から前記第２ドライブ情報を読み出すことが可能であるか否かを判定するステップと、（ｆ）前記第２ドライブ情報に含まれる複数の記録再生条件の中に、前記情報記録媒体を装着した情報記録再生装置が利用可能な記録再生条件があるか否かを判定するステップと、（ｈ）前記第１ドライブ情報を読み出すことが不可能であり、かつ、前記第２ドライブ情報を読み出すことが可能であり、かつ、前記第２ドライブ情報の中に前記利用可能な記録再生条件がある場合には、前記利用可能な記録再生条件および前記第２ドライブ情報を利用して、前記第１ドライブ情報および前記第２ドライブ情報を更新するステップとを包含し、前記ステップ（ｈ）は、（ｈ−１）前記第２ドライブ情報領域の番号ｍが割り当てられた領域から前記利用可能な記録再生条件を読み出すステップと、（ｈ−２）前記第２ドライブ情報領域の番号０〜番号（ｍ−１）が割り当てられた領域に書き込まれている記録再生条件の内容を前記第１ドライブ情報領域および前記第２ドライブ情報領域のそれぞれの番号１〜番号ｍが割り当てられた領域に書き込むステップと、（ｈ−３）前記読み出された利用可能な記録再生条件の内容を前記第１ドライブ情報領域および第２ドライブ情報領域のそれぞれの番号０が割り当てられた領域に書き込むステップとを包含し、これにより、上記目的が達成される。
【００３６】
本発明の情報記録再生装置は、データを記録するためのデータ記録領域と、第１ドライブ情報を記録するための第１ドライブ情報領域と、第２ドライブ情報を記録するための第２ドライブ情報領域とを備えた情報記録媒体のための情報記録再生装置であって、前記第１ドライブ情報領域および前記第２ドライブ情報領域のそれぞれは、番号０〜番号１５が割り当てられた領域を有しており、前記第１ドライブ情報および前記第２ドライブ情報のそれぞれは、１６個の記録再生条件を含み、前記１６個の記録再生条件は、前記情報記録媒体に記録された時刻が新しいものから古いものへの順番に前記第１ドライブ情報領域および前記第２ドライブ情報領域のそれぞれの番号０〜番号１５が割り当てられた領域に書き込まれており、前記利用可能な記録再生条件は、前記第１ドライブ情報領域の番号ｍが割り当てられた領域に書き込まれており、前記情報記録再生装置は、ドライブ情報読み出し部と、学習処理部と、ドライブ情報更新部とを備え、前記ドライブ情報読み出し部は、前記第１ドライブ情報領域から前記第１ドライブ情報を読み出すことが可能であるか否かを判定し、前記学習処理部は、前記第１ドライブ情報に含まれる複数の記録再生条件の中に、前記情報記録再生装置が利用可能な記録再生条件があるか否かを判定し、前記ドライブ情報更新部は、前記第１ドライブ情報を読み出すことが可能であり、かつ、前記第１ドライブ情報の中に前記利用可能な記録再生条件がある場合には、前記利用可能な記録再生条件および前記第１ドライブ情報を利用して、前記第１ドライブ情報および前記第２ドライブ情報を更新し、前記第１ドライブ情報領域の番号ｍが割り当てられた領域から前記利用可能な記録再生条件を読み出し、前記第１ドライブ情報領域の番号０〜番号（ｍ−１）が割り当てられた領域に書き込まれている記録再生条件の内容を前記第１ドライブ情報領域および前記第２ドライブ情報領域のそれぞれの番号１〜番号ｍが割り当てられた領域に書き込み、前記読み出された利用可能な記録再生条件の内容を前記第１ドライブ情報領域および第２ドライブ情報領域のそれぞれの番号０が割り当てられた領域に書き込み、これにより、上記目的が達成される。
【００４４】
本発明の情報記録再生装置は、データを記録するためのデータ記録値域と、第１ドライブ情報を記録するための第１ドライブ情報領域と、第２ドライブ情報を記録するための第２ドライブ情報値域とを備えた情報記録媒体のための情報記録再生装置であって、前記第１ドライブ情報領域および前記第２ドライブ情報領域のそれぞれは、番号０〜番号１５が割り当てられた領域を有しており、前記第１ドライブ情報および前記第２ドライブ情報のそれぞれは、１６個の記録再生条件を含み、前記１６個の記録再生条件は、前記情報記録媒体に記録された時刻が新しいものから古いものへの順番に前記第１ドライブ情報領域および前記第２ドライブ情報領域のそれぞれの番号０〜番号１５が割り当てられた領域に書き込まれており、前記利用可能な記録再生条件は、前記第２ドライブ情報領域の番号ｍが割り当てられた領域に書き込まれており、前記情報記録再生装置は、ドライブ情報読み出し部と、学習処理部と、ドライブ情報更新部とを備え、前記ドライブ情報読み出し部は、前記第１ドライブ情報領域から前記第１ドライブ情報を読み出すことが可能であるか否かを判定し、前記ドライブ情報読み出し部は、前記第２ドライブ情報嶺域から前記第２ドライブ情報を読み出すことが可能であるか否かを判定し、前記学習処理部は、前記第２ドライブ情報に含まれる複数の記録再生条件の中に、前記情報記録再生装置が利用可能な記録再生条件があるか否かを判定し、前記ドライブ情報更新部は、前記第１ドライブ情報を読み出すことが不可能であり、かつ、前記第２ドライブ情報を読み出すことが可能であり、かつ、前記第２ドライブ情報の中に前記利用可能な記録再生条件がある場合には、前記利用可能な記録再生条件および前記第２ドライブ情報を利用して、前記第１ドライブ情報および前記第２ドライブ情報を更新し、前記第２ドライブ情報領域の番号ｍが割り当てられた領域から前記利用可能な記録再生条件を読み出し、前記第２ドライブ情報領域の番号０〜番号（ｍ−１）が割り当てられた領域に書き込まれている記録再生条件の内容を前記第１ドライブ情報領域および前記第２ドライブ情報領域のそれぞれの番号１〜番号ｍが割り当てられた領域に書き込み、前記読み出された利用可能な記録再生条件の内容を前記第１ドライブ情報領域および第２ドライブ情報領域のそれぞれの番号０が割り当てられた領域に書き込み、これにより、上記目的が達成される。
【００４９】
【発明の実施の形態】
本発明の情報記録媒体は、記録再生条件を記録するためのドライブ情報領域を有している。情報記録再生装置は、学習処理を実行することにより記録再生条件を求め、その記録再生条件を情報記録媒体のドライブ情報領域に記録する。情報記録媒体のドライブ情報領域に記録された記録再生条件は、次回の学習処理が実行される際に読み出され、新たな記録再生条件を求めるために利用される。
【００５０】
ここで、記録再生条件とは、光ディスク装置が光ディスクに情報を記録し、または、光ディスクに記録された情報を再生する際の光ディスク装置の動作条件をいう。
【００５１】
記録再生条件は、光ディスクに照射されるレーザパルスに関するパルス条件と、記録再生時の各種サーボの動作を決定するサーボ条件と、再生信号を処理するための再生信号処理条件とのうち少なくとも１つを含む。
【００５２】
パルス条件は、例えば、記録時に光ディスクに照射されるレーザーパルスのパワー値を含む。あるいは、パルス条件は、光ディスク上にマーク（情報の最小単位）を形成するためのレーザーパルスの条件を含んでいてもよい。光ディスク上にマークを形成する際にマークの前端から後端にかけて複数のパルスを光ディスクに照射する場合には、パルス条件は、そのマークの前端に対応する第１パルスの発生タイミングと、その第１パルスの長さと、その第１パルスのレーザー光の強度と、そのマークの後端に対応する最終パルスの発生タイミングと、その最終パルスの長さと、その最終パルスのレーザー光の強度とのうち少なくとも１つを含み、マークの長さとそのマークの前後に配置されているスペースの長さとに応じて定められている。
【００５３】
あるいは、記録再生条件は、情報記録再生装置に含まれる各種回路の設定値またはその設定値を示すコード情報であってもよい。
【００５４】
このように、情報記録媒体のドライブ情報領域に記録された記録再生条件を再利用することにより、学習処理を簡素化することが可能になる。その結果、学習処理に要する時間を短縮することが可能となり、情報記録再生装置の待機時間を短縮することが可能となる。
【００５５】
以下、図面を参照しながら本発明の実施の形態を説明する。
【００５６】
（実施の形態１）
図１は、本発明の実施の形態１の情報記録媒体１０１の構造を示す。情報記録媒体１０１は、ＤＶＤ−ＲＡＭなどの任意の光ディスクであり得る。
【００５７】
光ディスク１０１には、複数のトラック１０２が同心円状に形成されている。あるいは、光ディスク１０１には、単一のトラック１０２がスパイラル状に形成されていてもよいし、複数のトラック１０２がスパイラル状に形成されていてもよい。トラック１０２は、複数のセクタ１０３に分割されている。
【００５８】
光ディスク１０１の領域は、１以上のディスク情報領域１０４とデータ記録領域１０５とを含む。
【００５９】
ディスク情報領域１０４には、光ディスク１０１をアクセスするために必要とされる各種のパラメータが格納されている。ディスク情報領域１０４は、例えば、光ディスク１０１の最内周と最外周とに配置される。光ディスク１０１の最内周に配置されたディスク情報領域１０４は、リードイン領域（Ｌｅａｄ−ｉｎ  Ａｒｅａ）とも呼ばれる。光ディスク１０１の最外周に配置されたディスク情報領域１０４は、リードアウト領域（Ｌｅａｄ−ｏｕｔ  Ａｒｅａ）とも呼ばれる。
【００６０】
データの記録再生は、データ記録領域１０５に対して行われる。データ記録領域１０５に設けられているすべてのセクタ１０３には物理セクタ番号（Ｐｈｙｓｉｃａｌ  Ｓｅｃｔｏｒ  Ｎｕｍｂｅｒ；以下、ＰＳＮと略す）といわれる絶対番地が割り付けられている。
【００６１】
図２は、図１に示される光ディスク１０１の最内周に配置されるディスク情報領域１０４（すなわち、リードイン領域２０１）の構造を示す。なお、図１に示される光ディスク１０１の最外周に配置されるディスク情報領域１０４も図２に示される構造と同一の構造を有し得る。
【００６２】
リードイン領域２０１は、光ディスク１０１の識別情報などの情報をエンボスピットにより記録したエンボス領域２０２と、データを記録するデータ記録領域２０４と、エンボス領域２０２とデータ記録領域２０４との間に設けられているミラー領域２０３とを含む。
【００６３】
データ記録領域２０４は、データを含まないガード領域２０５と、光ディスク１０１を製造工程において光ディスク１０１の品質を検査するために利用されるディスクテスト領域２０６と、光ディスク装置に装着された光ディスク１０１の状態を光ディスク装置が検証するために利用されるドライブテスト領域２０７と、光ディスク１０１の様々な特性などの情報を格納するために利用されるディスク識別領域２０８と、欠陥管理情報を格納する欠陥管理領域２０９とを含む。
【００６４】
ディスク識別領域２０８は、例えば、４個のディスク識別情報領域２１０と、１個のドライブ情報領域２１１と、３個の予約領域２１２とを含む。４個のディスク識別情報領域２１０のそれぞれは、１個のＥＣＣブロックから構成される。ドライブ情報領域２１１は、１個のＥＣＣブロックから構成される。３個の予約領域２１２のそれぞれは、１個のＥＣＣブロックから構成される。ＥＣＣブロックは、誤り訂正符号を計算するために使用される。誤り訂正符号は、ＥＣＣブロック単位に計算される。
【００６５】
図３は、ＥＣＣブロックの構造と、光ディスク１０１に設けられているセクタ１０３の構造との関係を示す。光ディスク１０１が大容量の光ディスク（例えば、ＤＶＤ）である場合には、高い誤り訂正能力と低い冗長度とを両立させるために、１つのＥＣＣブロックは１６セクタから構成される。ただし、図３に示される例では、簡単のため、１つのＥＣＣブロックが４つのセクタから構成されると仮定する。
【００６６】
図３に示されるように、ＥＣＣブロックは、１７２バイト×４８行に配置されたメインデータと、メインデータの１行毎に（横方向に）誤り訂正符号を計算することによって得られる内符号パリティＰＩと、メインデータの１列毎に（縦方向に）誤り訂正符号を計算することによって得られる外符号パリティＰＯとを含む。
【００６７】
内符号パリティと外符号パリティとを含む符号は、一般的に積符号と呼ばれる。積符号は、ランダムエラーとバーストエラー（局所的に集中した誤り）の両方に強い誤り訂正方式である。例えば、ランダムエラーに加えて、引っ掻き傷で２行分のバーストエラーが発生した場合を考えてみる。バーストエラーは、外符号からみれば殆どが２バイト誤りなので訂正できる。ランダムエラーが多く存在した列は、外符号で訂正できずに誤りが残るが、この残った誤りは内符号によって大抵の場合訂正できる。内符号によっても誤りが残ったとしても、再び外符号で訂正すれば、さらに誤りの減らすことができる。ＤＶＤでは、このような積符号を採用したことによって、パリティの冗長度を抑えながら、十分な訂正能力が実現されている。言い換えれば、パリティの冗長度を抑えた分、ユーザデータの容量を高めることができている。
【００６８】
図３に示されるように、ＥＣＣブロックの外符号パリティは、１行ごとに各セクタに均等に配分されている。その結果、１つのセクタは、１８２バイト×１３行のデータから構成される。
【００６９】
光ディスク装置は、光ディスク装置に装着された光ディスク１０１に対してセクタ単位に記録または再生を行うことを命令されると、指定されたセクタを含むＥＣＣブロックを光ディスク１０１から再生して、誤り訂正を施した後、その指定されたセクタに相当するデータ部分だけを光ディスク１０１に記録する。光ディスク装置は、光ディスク装置に装着された光ディスク１０１に対してセクタ単位に記録を行うことを命令されると、指定されたセクタを含むＥＣＣブロックを光ディスク１０１から再生して、誤り訂正を施した後、その指定されたセクタに相当するデータ部分を記録すべきデータに置き換えて、誤り訂正符号を再計算して記録すべきデータに付け直し、その指定されたセクタを含むＥＣＣブロックを光ディスク１０１に記録する。
【００７０】
以下の説明において、ブロックとは、上述したＥＣＣブロックを意味する。
【００７１】
図４は、図２に示されるドライブ情報領域２１１に記録されるドライブ情報４０１の構造を示す。ドライブ情報４０１は、複数の記録再生条件４０１ａを含む。複数の記録再生条件４０１ａのそれぞれは、光ディスク１０１を装着し得る光ディスク装置がデータを記録再生する際の光ディスク装置の動作条件を規定する。複数の記録再生条件４０１ａのうち１以上の記録再生条件４０１ａが、１以上の光ディスク装置に対して規定され得る。
【００７２】
ドライブ情報４０１は、例えば、複数の記録再生条件４０１ａのリストの形式で表現される。従って、ドライブ情報４０１は、記録再生条件リストともよばれる。
【００７３】
図４において、記号＃に続く値は、記録再生条件４０１ａの時系列を示すために説明の便宜上付けたものであり、記録再生条件４０１ａの内容に含まれるものではない。ここで、ｎは０以上の整数である。図４に示される例では、ドライブ情報４０１は、１６個の記録再生条件４０１ａを含んでいる。
【００７４】
記録再生条件４０１ａは、光ディスク装置を製造したメーカーを識別するためのメーカー識別子４０２と、そのメーカーにおいてその光ディスク装置を識別するためのドライブ識別子４０３と、その光ディスク装置においてその記録再生条件を求めた順序を識別するための学習順序識別子４０４と、求めた記録再生条件を格納する学習結果格納領域４０５とを含む。
【００７５】
以下、ドライブ情報４０１の更新方法を説明する。光ディスク装置は、記録再生条件を求める学習処理を行う前に、光ディスク装置に装着された光ディスク１０１に設けられているドライブ情報領域２１１を再生することにより、ドライブ情報４０１を取得する。
【００７６】
ドライブ情報４０１に含まれる１６個の記録再生条件４０１ａの中に、光ディスク１０１を装着した光ディスク装置が利用可能な記録再生条件４０１ａが存在する場合には、光ディスク装置は、その利用可能な記録再生条件４０１ａを利用して、データを光ディスク１０１に記録し、または、光ディスク１０１に記録されたデータを再生する。例えば、特定の光ディスク装置が保有するメーカー識別子およびドライブ識別子が記録再生条件４０１ａに含まれるメーカー識別子４０２およびドライブ識別子４０３に一致する場合には、その記録再生条件４０１ａがその特定の光ディスク装置に利用可能であるとされる。
【００７７】
一方、ドライブ情報４０１に含まれる１６個の記録再生条件４０１ａの中に、光ディスク１０１を装着した光ディスク装置が利用可能な記録再生条件４０１ａが存在しない場合には、光ディスク装置は、学習処理を実行することにより、その光ディスク装置が利用可能な記録再生条件を新たに学習する。光ディスク装置は、新たに学習された記録再生条件を利用して、データを光ディスク１０１に記録し、または、光ディスク１０１に記録されたデータを再生する。
【００７８】
光ディスク装置は、ドライブ情報４０１に含まれる１６個の記録再生条件４０１ａのそれぞれに含まれる学習順序識別子４０４を比較し、最も古い学習順序識別子４０４を含む記録再生条件４０１ａをドライブ情報４０１から削除する。光ディスク装置は、新たに学習された記録再生条件をその削除された記録再生条件の領域に記録する。
【００７９】
このように、最も古い学習順序識別子４０４を含む記録再生条件４０１ａの内容を新たに学習された記録再生条件の内容に置換することにより、ドライブ情報４０１が更新される。更新されたドライブ情報４０１が光ディスク１０１のドライブ情報領域２１１に記録される。これにより、ドライブ情報４０１の更新が完了する。
【００８０】
しかし、上述したドライブ情報４０１の更新方法によれば、ドライブ情報４０１に含まれる記録再生条件４０１ａの新旧を学習順序識別子４０４に頼っているため、抜け道が存在する。例えば、学習順序識別子４０４を４桁の１０進数で表現する場合において、学習順序識別子４０４に最も大きい値９９９９を設定すると、値９９９９を有する学習順序識別子４０４を含む記録再生条件４０１ａはドライブ情報４０１から永遠に削除されることがない。光ディスク装置に利用可能な記録再生条件が消されないことは、その光ディスク装置を製造するメーカーにとってみれば有利であるから、モラルの低いメーカーが学習順序識別子４０４に故意に大きな値を設定しないとも限らない。
【００８１】
このように、メーカーが学習順序識別子４０４に故意に大きな値を設定する場合を想定すると、ドライブ情報４０１が常に最新の学習結果を示す記録再生条件４０１ａを含むように更新されるという保証がなくなってしまう。
【００８２】
また、実施の形態１では、ドライブ情報領域２１１は１ブロックしか設けられていない。このため、ドライブ情報領域２１１に傷がついたり、埃や指紋などがドライブ情報領域２１１に付着することにより、ドライブ情報領域２１１の再生が不可能になるというおそれもある。
【００８３】
このような課題を解決するために改良された光ディスクの構造およびドライブ情報の更新方法は、実施の形態２において説明される。
【００８４】
（実施の形態２）
実施の形態２では、ドライブ情報が常に最新の学習結果を示す記録再生条件を含むことを保証することが可能な情報記録媒体および情報記録再生方法が提供される。
【００８５】
本発明の実施の形態２の情報記録媒体の構造は、図１に示される情報記録媒体１０１の構造と同一である。情報記録媒体１０１は、ＤＶＤ−ＲＡＭなどの任意の光ディスクであり得る。
【００８６】
図５は、図２に示されるディスク識別領域２０８に記録される情報の構造を示す。ディスク識別領域２０８は、ディスク識別情報領域５０１と、ドライブ情報領域５０２と、予約領域５０３とを含む。
【００８７】
ドライブ情報領域５０２は、第１ドライブ情報としてのドライブ情報５２１を記録するための第１ドライブ情報領域５０２ａと、第２ドライブ情報としてのドライブ情報５２２を記録するための第２ドライブ情報領域５０２ｂとを含む。
【００８８】
第１ドライブ情報領域５０２ａおよび第２ドライブ情報領域５０２ｂのそれぞれは、例えば、単一のＥＣＣブロックで構成されており、ＥＣＣブロックは１６個のセクタで構成されている。
【００８９】
ドライブ情報５２１とドライブ情報５２２とは同一の内容を有するように更新される。
【００９０】
ドライブ情報５２１およびドライブ情報５２２のそれぞれは、複数の記録再生条件５２１ａを含む。複数の記録再生条件５２１ａのそれぞれは、光ディスク１０１を装着し得る光ディスク装置がデータを記録再生する際の光ディスク装置の動作条件を規定する。複数の記録再生条件５２１ａのうち１以上の記録再生条件５２１ａが、１以上の光ディスク装置に対して規定され得る。
【００９１】
ドライブ情報５２１およびドライブ情報５２２のそれぞれは、例えば、複数の記録再生条件５２１ａのリストの形式で表現される。従って、ドライブ情報５２１およびドライブ情報５２２のそれぞれは、記録再生条件リストともよばれる。
【００９２】
図５において、記号＃に続く値は、記録再生条件５２１ａの時系列を示すために説明の便宜上付けたものであり、記録再生条件５２１ａの内容に含まれるものではない。ここで、ｎは０以上の整数である。図５に示される例では、ドライブ情報５２１およびドライブ情報５２２のそれぞれは、１６個の記録再生条件５２１ａを含んでいる。１６個の記録再生条件５２１ａのそれぞれは、１つのセクタ内に記録されている。
【００９３】
１６個の記録再生条件５２１ａは、光ディスク１０１に記録された時刻の順序に配列されている。例えば、１６個の記録再生条件５２１ａは、光ディスク１０１に記録された時刻の新しいものから古いものへの順序に配列されている。この場合、１６個の記録再生条件５２１ａのうち光ディスク１０１に最も最近に記録された記録再生条件５２１ａは、記録再生条件リストの先頭に配置されており、１６個の記録再生条件５２１ａのうち光ディスク１０１に最も古く記録された記録再生条件５２１ａは、記録再生条件リストの末尾に配置されている。
【００９４】
記録再生条件５２１ａは、光ディスク装置を製造したメーカーを識別するためのメーカー識別子５３１と、そのメーカーにおいてその光ディスク装置を識別するためのドライブ識別子５３２と、その光ディスク装置が学習処理を実行することにより求めた記録再生条件を格納する学習結果格納領域５３３とを含む。
【００９５】
このように、ドライブ情報５２１とドライブ情報５２２とに同一の記録再生条件を記録することにより、ドライブ情報領域５０２に傷がついたり、埃や指紋などがドライブ情報領域５０２に付着することが原因で、記録再生条件５２１ａのリストの取得に失敗する可能性を小さくしている。
【００９６】
また、新たな学習処理により求められた記録再生条件５２１ａは、常に、ドライブ情報５２１およびドライブ情報５２２の先頭の位置に記録される。これにより、ドライブ情報５２１およびドライブ情報５２２が、常に最新の学習結果を示す１６個の記録再生条件を含むことが保証される。
【００９７】
なお、実施の形態２では、ドライブ情報領域５０２は第１ドライブ情報領域５０２ａと第２ドライブ情報領域５０２ｂとを含むとしたが、ドライブ情報領域５０２に含まれるドライブ情報領域の数が２に限定されるわけではない。ドライブ情報領域５０２は２以上の任意の数のドライブ情報領域を含み得る。
【００９８】
また、第１ドライブ情報領域５０２ａおよび第２ドライブ情報領域５０２ｂのそれぞれはＮ個のＥＣＣブロックから構成され得る。Ｎ個のＥＣＣブロックのそれぞれは複数のセクタを含む。ドライブ情報５２１に含まれる複数の記録再生条件５２１ａのそれぞれは、その複数のセクタのうち対応する１つのセクタ内に記録されている。ドライブ情報５２２に含まれる複数の記録再生条件５２１ａのそれぞれは、その複数のセクタのうち対応する１つのセクタ内に記録されている。ここで、Ｎは１以上の任意の整数である。
【００９９】
以下、図６および図７を参照して、ドライブ情報５２１の更新方法を説明する。ドライブ情報５２２は、ドライブ情報５２１と同一の内容を有するように更新される。従って、ドライブ情報５２２の更新方法は、ドライブ情報５２１と同一であるのでここではその説明を省略する。
【０１００】
図６は、ドライブ情報５２１に含まれる１６個の記録再生条件５２１ａの中に、光ディスク１０１を装着した光ディスク装置が利用可能な記録再生条件５２１ａが存在しなかった場合における、更新前のドライブ情報５２１の構造と更新後のドライブ情報５２１の構造とを対比して示す。ドライブ情報５２１の更新処理は、例えば、光ディスク１０１を光ディスク装置に装着した時点で行われる。
【０１０１】
図６において、記号＃に続く値は、記録再生条件５２１ａの時系列を示すために説明の便宜上付けたものであり、記録再生条件５２１ａの内容に含まれるものではない。ここで、ｎは０以上の整数である。
【０１０２】
第１ドライブ情報領域５０２ａは、番号０〜番号１５が割り当てられた領域を有している。ドライブ情報５２１は、１６個の記録再生条件５２１ａを含む。１６個の記録再生条件５２１ａは、光ディスク１０１に記録された時刻が新しいものから古いものへの順番に第１ドライブ情報領域５０２ａの番号０〜番号１５が割り当てられた領域に書き込まれている。すなわち、１６個の記録再生条件５２１ａのうち最も最近に光ディスク１０１に記録された記録再生条件５２１ａは、第１ドライブ情報領域５０２ａの番号０が割り当てられた領域に書き込まれており、１６個の記録再生条件５２１ａのうち最も古く光ディスク１０１に記録された記録再生条件５２１ａは、第１ドライブ情報領域５０２ａの番号１５が割り当てられた領域に書き込まれている。
【０１０３】
第１ドライブ情報領域５０２ａの番号０〜番号１４が割り当てられた領域に書き込まれている記録再生条件５２１ａの内容を第１ドライブ情報領域５０２ａの番号１〜番号１５が割り当てられた領域にそれぞれ書き込んだ後に、光ディスク装置によって新たに学習された記録再生条件の内容を第１ドライブ情報領域５０２ａの番号０が割り当てられた領域に書き込むことにより、ドライブ情報５２１が更新される。その結果、最も古くに光ディスク１０１に記録された記録再生条件５２１ａ（すなわち、第１ドライブ情報領域５０２ａの番号１５が割り当てられた領域に書き込まれた記録再生装置５２１ａ）の内容は記録再生条件リストから削除される。
【０１０４】
このように、ドライブ情報５２１を更新することにより、ドライブ情報５２１に含まれる１６個の記録再生条件５２１ａのうち最も古い記録再生条件５２１ａが削除されることとなる。その結果、ドライブ情報５２１が常に最新の１６個の記録再生条件５２１ａを含むことが保証される。
【０１０５】
なお、実施の形態２では、記録再生条件リストの先頭から学習処理により求めた記録再生条件を割り付けていったが、記録再生条件リストの末尾から記録再生条件を割り付けていってもよい。
【０１０６】
図７は、ドライブ情報５２１に含まれる１６個の記録再生条件５２１ａの中に、光ディスク１０１を装着した光ディスク装置が利用可能な記録再生条件５２１ａが存在する場合における、更新前のドライブ情報５２１の構造と更新後のドライブ情報５２１の構造とを対比して示す。ドライブ情報５２１の更新処理は、例えば、光ディスク１０１を光ディスク装置に装着した時点で行われる。
【０１０７】
図７において、記号＃に続く値は、記録再生条件５２１ａの時系列を示すために説明の便宜上付けたものであり、記録再生条件５２１ａの内容に含まれるものではない。ここで、ｎ、ｍは０以上の整数である。
【０１０８】
例えば、光ディスク装置が保有するメーカー識別子およびドライブ識別子が、第１ドライブ情報領域５０２ａの番号ｍが割り当てられた領域に記録されている記録再生条件５２１ａに含まれるメーカー識別子５３１およびドライブ識別子５３２に一致したと仮定する。この場合、その記録再生条件５２１ａが実際にその光ディスク装置に利用可能であるかが確認される。その確認後に、第１ドライブ情報領域５０２ａの番号ｍが割り当てられた領域から記録再生条件５２１ａが読み出される。読み出された記録再生条件５２１ａは、例えば、退避用のバッファ（図示せず）に格納される。次に、第１ドライブ情報領域５０２ａの番号０〜番号（ｍ−１）が割り当てられた領域に書き込まれている記録再生条件の内容が、第１ドライブ情報領域５０２ａの番号１〜番号ｍが割り当てられた領域に書き込まれる。次に、その退避用のバッファに格納された記録再生条件５２１ａの内容が、第１ドライブ情報領域５０２ａの番号０が割り当てられた領域に書き込まれる。
【０１０９】
このようにして、光ディスク１０１を装着した光ディスク装置が利用可能な記録再生条件５２１ａ（すなわち、第１ドライブ情報領域５０２ａの番号ｍが割り当てられた領域に記録された記録再生装置５２１ａ）が第１ドライブ情報領域５０２ａの番号０が割り当てられた領域に書き込まれる。
【０１１０】
このように、ドライブ情報５２１を更新することにより、ドライブ情報５２１に含まれる１６個の記録再生条件５２１ａのうち最も最近にアクセスされた記録再生条件５２１ａが常に第１ドライブ情報領域の番号０が割り当てられた領域に記録されることとなる。その結果、ドライブ情報５２１が常に最新の１６個の記録再生条件５２１ａを含むことが保証される。
【０１１１】
なお、実施の形態２では、メーカー識別子およびドライブ識別子が一致した記録再生条件を記録再生条件リストの先頭に移動させることにより記録再生条件リストの更新を行ったが、メーカ識別子およびドライブ識別子が一致した記録再生条件より下位の記録再生条件を１セクタずつ上位に移動させ、メーカ識別子およびドライブ識別子が一致した記録再生条件を記録再生条件リストの末尾に移動させるようにしてもよい。
【０１１２】
（実施の形態３）
以下、実施の形態２で説明した情報記録媒体に情報を記録する、または、その情報記録媒体に記録された情報を再生する情報記録再生装置（光ディスク装置）８００の構成を説明する。
【０１１３】
図８は、本発明の実施の形態３の光ディスク装置８００の構成を示す。
【０１１４】
光ディスク装置８００は、上位制御装置（図示せず）にＩ／Ｏバス８７０を介して接続されている。上位制御装置は、典型的には、ホストコンピュータである。
【０１１５】
光ディスク装置８００は、上位制御装置からの命令を処理する命令処理部８１０と、書換型ディスクへの記録時の制御を行う記録制御部８２０と、書換型ディスクからの再生時の制御を行う再生制御部８３０と、再生したドライブ情報５２１を格納するドライブ情報格納バッファ８４０と、記録及び再生データを一時的に格納するデータバッファ８５０と、学習処理の制御を行う学習情報処理部８６０とを機能的に備えている。
【０１１６】
学習情報処理部８６０は、第１ドライブ情報領域５０２ａからドライブ情報５２１を読み出し、第２ドライブ情報領域５０２ｂからドライブ情報５２２を読み出すドライブ情報読み出し部８６１と、記録再生条件の学習処理を制御する学習処理部８６２と、ドライブ情報５２１およびドライブ情報５２２を更新し、更新されたドライブ情報５２１を第１ドライブ情報領域５０２ａに記録し、更新されたドライブ情報５２２を第２ドライブ情報領域５０２ｂに記録するドライブ情報更新部８６３とを含む。
【０１１７】
図９は、ドライブ情報読み出し処理の手順を示す。この処理は、図８に示される光ディスク装置８００のドライブ情報読み出し部８６１によって実行される。なお、図９に示される例では、第１ドライブ情報領域５０２ａおよび第２ドライブ情報領域５０２ｂのそれぞれは、単一のＥＣＣブロックから構成されていると仮定する。
【０１１８】
ドライブ情報読み出し部８６１は、再生制御部８３０を利用して、光ディスク１０１に設けられた第１ドライブ情報領域５０２ａからドライブ情報５２１を読み出すことが可能か否かを判定する（ステップ９０１）。この判定は、第１ドライブ情報領域５０２ａのＥＣＣブロックの再生が成功したか否かに基づいて行われる。第１ドライブ情報領域５０２ａのＥＣＣブロックの再生が成功した場合には、第１ドライブ情報領域５０２ａからドライブ情報５２１を読み出すことが可能であると判定され、第１ドライブ情報領域５０２ａのＥＣＣブロックの再生が失敗した場合には、第１ドライブ情報領域５０２ａからドライブ情報５２１を読み出すことが可能でないと判定される。
【０１１９】
第１ドライブ情報領域５０２ａからドライブ情報５２１を読み出すことが可能であると判定されると（ステップ９０１の判定において「Ｙｅｓ」）、ドライブ情報読み出し部８６１は、読み出されたドライブ情報５２１をドライブ情報格納バッファ８４０に格納し、ドライブ情報５２１を利用する（ステップ９０３）。例えば、ドライブ情報５２１は、記録再生条件の学習処理において利用され得る。あるいは、ドライブ情報５２１を用いて、光ディスク１０１にデータを記録し、または、光ディスク１０１に記録されたデータを再生するようにしてもよい。
【０１２０】
第１ドライブ情報領域５０２ａからドライブ情報５２１を読み出すことが可能でないと判定されると（ステップ９０１の判定において「Ｎｏ」）、ドライブ情報読み出し部８６１は、再生制御部８３０を利用して、光ディスク１０１に設けられた第２ドライブ情報領域５０２ｂからドライブ情報５２２を読み出すことが可能か否かを判定する（ステップ９０２）。この判定は、第２ドライブ情報領域５０２ｂのＥＣＣブロックの再生が成功したか否かに基づいて行われる。第２ドライブ情報領域５０２ｂのＥＣＣブロックの再生が成功した場合には、第２ドライブ情報領域５０２ｂからドライブ情報５２２を読み出すことが可能であると判定され、第２ドライブ情報領域５０２ｂのＥＣＣブロックの再生が失敗した場合には、第２ドライブ情報領域５０２ｂからドライブ情報５２２を読み出すことが可能でないと判定される。
【０１２１】
第２ドライブ情報領域５０２ｂからドライブ情報５２２を読み出すことが可能であると判定されると（ステップ９０２の判定において「Ｙｅｓ」）、ドライブ情報読み出し部８６１は、読み出されたドライブ情報５２２をドライブ情報格納バッファ８４０に格納し、ドライブ情報５２２を利用する（ステップ９０４）。例えば、ドライブ情報５２２は、記録再生条件の学習処理において利用され得る。あるいは、ドライブ情報５２２を用いて、光ディスク１０１にデータを記録し、または、光ディスク１０１に記録されたデータを再生するようにしてもよい。
【０１２２】
第２ドライブ情報領域５０２ｂからドライブ情報５２２を読み出すことが可能でないと判定されると（ステップ９０２の判定において「Ｎｏ」）、ドライブ情報読み出し部８６１は、ＮＵＬＬ値”００”ｈで埋められたドライブ情報を生成し、そのドライブ情報をドライブ情報格納バッファ８４０に格納し、そのドライブ情報を利用する（ステップ９０５）。例えば、ＮＵＬＬ値”００ｈ”で埋められたドライブ情報は、記録再生条件の学習処理において利用され得る。あるいは、ＮＵＬＬ値”００ｈ”で埋められたドライブ情報を用いて、光ディスク１０１にデータを記録し、または、光ディスク１０１に記録されたデータを再生するようにしてもよい。
【０１２３】
このように、ドライブ情報読み出し部８６１は、ドライブ情報領域５０２の１ブロック目のＥＣＣブロックの再生に成功した場合には、第１ドライブ情報領域５０２ａに記録されているドライブ情報５２１を利用する。また、ドライブ情報読み出し部８６１は、ドライブ情報領域５０２の１ブロック目のＥＣＣブロックの再生に失敗したが、ドライブ情報領域５０２の２ブロック目のＥＣＣブロックの再生に成功した場合には、第２ドライブ情報領域５０２ｂに格納されているドライブ情報５２２を利用する。さらに、ドライブ情報読み出し部８６１は、ドライブ情報領域５０２の１ブロック目のＥＣＣブロックの再生に失敗し、かつ、ドライブ情報領域５０２の２ブロック目のＥＣＣブロックの再生に失敗した場合には、ＮＵＬＬ埋めされたドライブ情報を生成し、そのドライブ情報を利用する。
【０１２４】
なお、第１ドライブ情報領域５０２ａがＮ個のＥＣＣブロックから構成されている場合には、ステップ９０１の判定は、第１ドライブ情報領域５０２ａに含まれるＮ個のＥＣＣブロックの再生がすべて成功したか否かに基づいて行われる。ここで、Ｎは１以上の任意の整数である。Ｎ個のＥＣＣブロックのすべての再生が成功した場合には、第１ドライブ情報領域５０２ａからドライブ情報５２１を読み出すことが可能であると判定され、Ｎ個のＥＣＣブロックの少なくとも１つの再生が失敗した場合には、第１ドライブ情報領域５０２ａからドライブ情報５２１を読み出すことが可能でないと判定される。
【０１２５】
同様にして、第２ドライブ情報領域５０２ｂがＮ個のＥＣＣブロックから構成されている場合には、ステップ９０２の判定は、第２ドライブ情報領域５０２ｂに含まれるＮ個のＥＣＣブロックの再生がすべて成功したか否かに基づいて行われる。ここで、Ｎは１以上の任意の整数である。Ｎ個のＥＣＣブロックのすべての再生が成功した場合には、第２ドライブ情報領域５０２ｂからドライブ情報５２２を読み出すことが可能であると判定され、Ｎ個のＥＣＣブロックの少なくとも１つの再生が失敗した場合には、第２ドライブ情報領域５０２ｂからドライブ情報５２２を読み出すことが可能でないと判定される。
【０１２６】
なお、図９に示されるドライブ情報読み出し処理の例は、Ｎ＝１の場合に相当する。
【０１２７】
図１０は、学習処理の手順とドライブ情報の更新処理の手順とを示す。学習処理は、学習処理部８６２によって実行される。ドライブ情報の更新処理は、ドライブ情報更新部８６３によって実行される。
【０１２８】
学習処理部８６２は、ドライブ情報格納バッファ８４０に格納されているドライブ情報を読み出し、そのドライブ情報に含まれている複数の記録再生条件の中に、光ディスク装置８００が利用可能な記録再生条件が存在するか否かを判定する（ステップ１００１）。この判定は、例えば、記録再生条件に含まれるメーカー識別子およびドライブ識別子と、光ディスク装置８００が保有するメーカー識別子およびドライブ識別子とを比較することによってなされる。メーカー識別子およびドライブ識別子が一致する記録再生条件があった場合、学習処理部８６２は、その記録再生条件に従って、記録制御部８２０および再生制御部８３０を利用して、光ディスク１０１に情報を記録し、または、光ディスク１０１に記録された情報を再生する。
【０１２９】
学習処理部８６２は、試し記録を行うことにより、その記録再生条件が適切であるか否かを判定する（ステップ１００２）。その記録再生条件が適切であると判定された場合には、学習処理およびドライブ情報の更新を行うことなく処理を完了する。
【０１３０】
一方、ステップ１００１でメーカー識別子およびドライブ識別子が一致する記録再生条件がなかった場合、および、ステップ１００２でメーカー識別子およびドライブ識別子が一致する記録再生条件が適切であると判定されなかった場合には、学習処理部８６２は、学習処理を実行し、新たに学習された記録再生条件をデータバッファ８５０に格納する（ステップ１００３）。学習処理部８６２は、データバッファ８５０に格納された記録再生条件に従い、記録制御部８２０および再生制御部８３０を通して光ディスク１０１に情報を記録し、または、光ディスク１０１に記録された情報を再生する。
【０１３１】
学習処理部８６２は、試し記録を行うことにより、その記録再生条件が適切であるか否かを判定する（ステップ１００４）。その記録再生条件が適切でないと判定された場合には、学習処理部８６２は、処理をステップ１００３に戻して再び学習処理を実行し、新たに学習された記録再生条件を求める。
【０１３２】
一方、ステップ１００４において、その記録再生条件は適切であると判定された場合には、ドライブ情報更新部８６３は、ドライブ情報の更新を行う。ドライブ情報の更新は、番号０〜番号１４が割り当てられた領域に記録されている記録再生条件の内容を１セクタずつ下位に移動した後に（ステップ１００５）、光ディスク装置によって新たに学習された記録再生条件の内容を番号０が割り当てられた領域（例えば、記録再生条件リストの先頭セクタ）に書き込むことによって行われる（ステップ１００６）。
【０１３３】
このようにして、ドライブ情報格納バッファ８４０に格納されているドライブ情報が更新される（ステップ１００５、１００６）。
【０１３４】
ドライブ情報更新部８６３は、ステップ１００５およびステップ１００６において更新されたドライブ情報を記録制御部８２０を利用して１ブロック目のドライブ情報領域５０２ａに記録する（ステップ１００７）。例えば、更新されたドライブ情報（記録再生条件リスト）が１ブロック目のＥＣＣブロックに記録される。続いて、ドライブ情報更新部８６３は、ステップ１００７で記録されたドライブ情報と同じものを２ブロック目のドライブ情報領域５０２ｂに記録する（ステップ１００８）。例えば、更新されたドライブ情報（記録再生条件リスト）が２ブロック目のＥＣＣブロックに記録される。
【０１３５】
なお、ドライブ情報格納バッファ８４０に格納されているドライブ情報が、図９に示されるステップ９０５において生成されたＮＵＬＬ値”００”ｈで埋められたドライブ情報である場合には、処理は、常に、ステップ１００１の判定においてＮｏ側に進む。ＮＵＬＬ値”００”ｈの再生記録条件は、すべての光ディスク装置に対して利用可能ではないからである。従って、ドライブ情報更新部８６３は、上述したステップ１００３〜ステップ１００８に従って、ドライブ情報を更新する。その結果、光ディスク装置によって新たに学習された記録再生条件の内容が第１ドライブ情報領域５０２ａおよび第２ドライブ情報領域５０２ｂのそれぞれの番号０が割り当てられた領域（例えば、記録再生条件リストの先頭セクタ）に書き込まれ、ＮＵＬＬ値”００”ｈが第１ドライブ情報領域５０２ａおよび第２ドライブ情報領域５０２ｂのそれぞれの番号１〜番号１５が割り当てられた領域に書き込まれる。
【０１３６】
このように、ドライブ情報更新部８６３は、常に、記録再生条件リストの先頭に学習処理により新たに求めた記録再生条件を記録するようにドライブ情報を更新する。その結果、ドライブ情報が常に最新の１６個の記録再生条件を含むことが保証される。
【０１３７】
なお、実施の形態３では、新たに求めた記録再生条件を記録再生条件リストの先頭に記録することにより、記録再生条件リストを更新するようにした。あるいは、新たに求めた記録再生条件を記録再生条件リストの末尾に記録することにより、記録再生条件リストを更新するようにしてもよい。この場合には、記録再生条件リストの各記録再生条件を１セクタずつ上位に移動させ、記録再生条件リストの先頭の記録再生条件を削除すればよい。
【０１３８】
図１１は、学習処理の手順とドライブ情報の更新処理の手順とを示す。学習処理は、学習処理部８６２によって実行される。ドライブ情報の更新処理は、ドライブ情報更新部８６３によって実行される。
【０１３９】
図１１において、ステップ１１０１からステップ１１０８は、図１０に示されるステップ１００１からステップ１００８と同じ処理である。従って、その説明を省略する。
【０１４０】
ドライブ情報更新部８６３は、ステップ１１０２の判定がＹｅｓであった場合（すなわち、ドライブ情報格納バッファ８４０に格納されているドライブ情報に含まれる複数の記録再生条件の中に、光ディスク装置８００が利用可能な記録再生条件が存在し、かつ、試し記録の結果、その利用可能な記録再生条件が適切であると判定された場合）には、その適切であると判定された記録再生条件を一旦データバッファ８５０に格納し、その適切である判定された記録再生条件より上位に位置する記録再生条件を１セクタ分下位に移動させる（ステップ１１０９）。続いて、ドライブ情報更新部８６３は、データバッファ８５０に格納されている記録再生条件の内容を番号０が割り当てられた領域（例えば、記録再生条件リストの先頭セクタ）に記録する（ステップ１１１０）。
【０１４１】
このようにして、ドライブ情報格納バッファ８４０に格納されているドライブ情報が更新される（ステップ１１０９、１１１０）。
【０１４２】
ドライブ情報更新部８６３は、ステップ１１０９およびステップ１１１０において更新されたドライブ情報を記録制御部８２０を利用して１ブロック目のドライブ情報領域５０２ａに記録する（ステップ１１０７）。例えば、更新されたドライブ情報（記録再生条件リスト）が１ブロック目のＥＣＣブロックに記録される。続いて、ドライブ情報更新部８６３は、ステップ１１０７で記録されたドライブ情報と同じものを２ブロック目のドライブ情報領域５０２ｂに記録する（ステップ１１０８）。例えば、更新されたドライブ情報（記録再生条件リスト）が２ブロック目のＥＣＣブロックに記録される。
【０１４３】
このように、ドライブ情報更新部８６３は、常に、光ディスク１０１を装着した光ディスク装置が利用可能な記録再生条件を最も最近の時刻にドライブ情報領域５０２に記録された記録再生条件としてドライブ情報領域５０２に記録する。その結果、ドライブ情報が常に最新の１６個の記録再生条件を含むことが保証される。
【０１４４】
なお、実施の形態３では、適切と判定された記録再生条件より上位に位置する記録再生条件を１セクタ分下位に移動させ、データバッファ８５０に格納されている記録再生条件を記録再生条件リストの先頭に記録することにより、記録再生条件リストの更新を行ったが、適切と判定された記録再生条件より下位に位置する記録再生条件を１セクタ分上位に移動させ、データバッファ８５０に格納されている記録再生条件を記録再生条件リストの末尾に格納することにより、記録再生条件リストの更新を行うようにしてもよい。
【０１４５】
なお、実施の形態３では、ドライブ情報領域５０２は第１ドライブ情報領域５０２ａと第２ドライブ情報領域５０２ｂとを含む例を説明したが、ドライブ情報領域５０２は、Ｌ個のドライブ情報領域（第１ドライブ情報領域５０２−１〜第Ｌドライブ情報領域５０２−Ｌ）を含んでいてもよい。ここで、Ｌは２以上の任意の整数である。この場合、第１ドライブ情報領域５０２−１から第Ｌドライブ情報領域５０２−Ｌに向かって順にドライブ情報を読み出すことが可能か否かを判定していき、読み出しに成功したドライブ情報をドライブ情報格納バッファ８４０に格納するようにすればよい。第１ドライブ情報領域５０２−１から第Ｌドライブ情報領域のいずれからもドライブ情報領域を読み出すことができなかった場合には、ＮＵＬＬ値”００”ｈで埋められたドライブ情報をドライブ情報格納バッファ８４０に格納するようにすればよい。このような処理は、図９に示されるドライブ情報読み出し処理と同様である。
【０１４６】
【発明の効果】
本発明の情報記録媒体によれば、複数の記録再生条件は、情報記録媒体に記録された時刻の順序に配列されている。これにより、学習順序識別子といった冗長な識別子を持つことなしに、ドライブ情報が常に最新の記録再生条件を含んでいることが保証される。
【０１４７】
また、本発明の情報記録媒体によれば、第１ドライブ情報を記録するための第１ドライブ情報領域と第２ドライブ情報を記録するための第２ドライブ情報領域とが設けられており、第１ドライブ情報と第２ドライブ情報とは同一の内容を有するように更新される。これにより、第１ドライブ情報領域または第２ドライブ情報領域に傷がついたり、埃や指紋などが第１ドライブ情報領域または第２ドライブ情報領域に付着することが原因で、記録再生条件の再生に失敗する可能性が低減される。
【０１４８】
本発明の情報記録再生方法によれば、ドライブ情報に含まれる複数の記録再生条件の中に、光ディスクを装着した光ディスク装置が利用可能な記録再生条件が存在しない場合には、ドライブ情報に含まれる複数の記録再生条件を１つずつ下位に移動させ、記録再生条件の学習処理により求められた記録再生条件をドライブ情報の先頭に追加することにより、ドライブ情報が更新される。また、ドライブ情報に含まれる複数の記録再生条件の中に、情報記録媒体を装着した情報記録再生装置が利用可能な記録再生条件が存在した場合には、その利用可能な記録再生条件より上位に位置する記録再生条件を１つずつ下位に移動させ、その利用可能な記録再生条件をドライブ情報の先頭に移動させることにより、ドライブ情報が更新される。その結果、ドライブ情報が常に最新の記録再生条件を含んでいることが保証される。
【図面の簡単な説明】
【図１】本発明の実施の形態１の情報記録媒体１０１の構造を示す図である。
【図２】図１に示されるディスク情報領域１０４の構造を示す図である。
【図３】ＥＣＣブロックの構造と、光ディスク１０１に設けられているセクタ１０３の構造との関係を示す図である。
【図４】図２に示されるドライブ情報領域２１１に記録されるドライブ情報４０１の構造を示す図である。
【図５】図２に示されるディスク識別領域２０８に記録される情報の構造を示す図である。
【図６】更新前のドライブ情報５２１の構造と更新後のドライブ情報５２１の構造とを対比して示す図である。
【図７】更新前のドライブ情報５２１の構造と更新後のドライブ情報５２１の構造とを対比して示す図である。
【図８】本発明の実施の形態３の光ディスク装置８００の構成を示す図である。
【図９】ドライブ情報読み出し処理の手順を示すフローチャートである。
【図１０】学習処理の手順とドライブ情報の更新処理の手順とを示すフローチャートである。
【図１１】学習処理の手順とドライブ情報の更新処理の手順とを示すフローチャートである。
【符号の説明】
１０１  光ディスク
１０２  トラック
１０３  セクタ
１０４  ディスク情報領域
１０５  データ記録領域
２０８  ディスク識別領域
５０１  ディスク識別情報領域
５０２  ドライブ情報領域
５０２ａ  第１ドライブ情報領域
５０２ｂ  第２ドライブ情報領域
５０３  予約領域
５２１、５２２  ドライブ情報
５２１ａ  記録再生条件
５３１  メーカー識別子
５３２  ドライブ識別子
５３３  学習結果格納領域
【図１】
0004495290.tif 000002
【図２】
0004495290.tif 000003
【図３】
0004495290.tif 000004
【図４】
0004495290.tif 000005
【図５】
0004495290.tif 000006
【図６】
0004495290.tif 000007
【図７】
0004495290.tif 000008
【図８】
0004495290.tif 000009
【図９】
0004495290.tif 000010
【図１０】
0004495290.tif 000011
【図１１】
0004495290.tif 000012